(57)【要約】【課題】常温仕様の電子値札ユニットを、その表示機能を保証しつつ、冷蔵商品の陳列ケースに設置可能な電子値札装置を提供することをその課題としている。【解決手段】本発明の電子値札装置１１は、冷凍・冷蔵商品の陳列ケース１に設けられ、商品価格３１を含む商品情報を表示する電子値札ユニット１２と、電子値札ユニット１２を、外部から視認可能に収容する値札ケース１４と、値札ケース１４内に設けられ、電子値札ユニット１２の周囲温度を当該電子値札ユニット１２の動作保証温度に維持するヒータ１７と、を備えた。【選択図】図２
2008048868.tif 000002
【特許請求の範囲】
【請求項１】
冷凍・冷蔵商品の陳列ケースに設けられ、商品価格を含む商品情報を表示する電子値札
ユニットと、
前記電子値札ユニットを、外部から視認可能に収容する値札ケースと、
前記値札ケース内に設けられ、前記電子値札ユニットの周囲温度を当該電子値札ユニッ
トの動作保証温度に維持するヒータと、を備えたことを特徴とする電子値札装置。
【請求項２】
前記値札ケースに、複数の電子値札ユニットを併設して収容したことを特徴とする請求
項１に記載の電子値札装置。
【請求項３】
前記値札ケース内の温度を検出する温度センサと、
前記温度センサの検出結果に基づいて、前記周囲温度が前記動作保証温度を維持するよ
うに前記ヒータを制御する温度制御手段と、を更に備えたことを特徴とする請求項１また
は２に記載の電子値札装置。
【請求項４】
前記値札ケース内に、前記電子値札ユニットを保持する保持プレートを、更に備え、
前記ヒータがプレートヒータで構成され、
前記保持プレートが前記ヒータを兼ねていることを特徴とする請求項１ないし３のいず
れか１項に記載の電子値札装置。
【請求項５】
前記ヒータは、前記電子値札ユニットから離れた位置に配設されており、
前記ヒータによるヒートエアを前記値札ケース内に循環させるファンを、更に備えてい
ることを特徴とする請求項１ないし３のいずれか１項に記載の電子値札装置。
【請求項６】
前記値札ケース内には、前記電子値札ユニットの背面側に位置して断熱材が設けられて
いることを特徴とする請求項１ないし５のいずれか１項に記載の電子値札装置。
【請求項７】
前記値札ケースは、空隙を存して配設された内ケースと外ケースとから成る２重構造に
構成されていることを特徴とする請求項１ないし６のいずれか１項に記載の電子値札装置
。
【請求項８】
前記値札ケースは、円筒形であって、前記保持プレートは、その断面上で略中央部に位
置するよう配設したことを特徴とする請求項４に記載の電子値札装置。
【発明の詳細な説明】
【技術分野】
【０００１】
本発明は、冷凍・冷蔵商品の陳列ケースの棚板等に設けられ、商品の価格や付帯情報を
表示する電子値札ユニットを有する電子値札装置に関するものである。
【背景技術】
【０００２】
従来、この種の電子値札装置に用いられる電子値札ユニットとして、商品価格を表示す
る価格表示部に液晶パネル、あるいは電子紛粒体等を用いた電子ペーパを利用したものが
知られている。この電子値札ユニットは、陳列ケースの商品種別に対応して取り付けられ
、陳列商品の商品名、価格、付帯情報等を表示する（特許文献１参照）。
【特許文献１】特開２００５−０９９８８８号公報
【発明の開示】
【発明が解決しようとする課題】
【０００３】
しかし、上記従来の電子値札ユニットは、その液晶パネル、あるいは電子ペーパ等の表
示パネル自体が常温で使用されることを前提とした設計となっているため、冷凍・冷蔵商
品の陳列ケース等の低温下で使用すると動作が不安定になる。すなわち、電子値札ユニッ
トを冷凍・冷蔵商品の陳列ケースに取り付けると、冷気により例えば液晶パネルでは、冷
却によって、価格表示部が暗くなり、表示された文字と表示部の背景とのコントラストが
悪くなったり、あるいは、電子紛粒体の動作速度が極端に低下して、表示の切り替わりに
支障が発生するなどの問題がある。
【０００４】
本発明は、常温仕様の電子値札ユニットを、その表示機能を保証しつつ、冷凍・冷蔵商
品の陳列ケースに設置可能な電子値札装置を提供することをその課題としている。
【課題を解決するための手段】
【０００５】
本発明の電子値札装置は、冷凍・冷蔵商品の陳列ケースに設けられ、商品価格を含む商
品情報を表示する電子値札ユニットと、電子値札ユニットを、外部から視認可能に収容す
る値札ケースと、値札ケース内に設けられ、電子値札ユニットの周囲温度を当該電子値札
ユニットの動作保証温度に維持するヒータと、を備えたことを特徴とする。
【０００６】
この構成によれば、電子値札ユニットを冷凍・冷蔵商品の陳列ケースに設置しても、ヒ
ータにより電子値札ユニットの周囲温度が、その動作保証温度に加温されるため、電子値
札ユニットの動作が不安定になることがない。すなわち、電子値札ユニットを、冷凍・冷
蔵商品の陳列ケースのような低温下に設置した場合でも、電子値札ユニットが見え難くな
ることがない。なお、値札ケースの内壁への結露を防止すべく、値札ケース内には、シリ
カゲル等の乾燥剤を設けておくことが好ましい。
【０００７】
この場合、値札ケースに、複数の電子値札ユニットを併設して収容したことが、好まし
い。
【０００８】
この構成によれば、電子値札ユニット毎にケースを用意する必要がなく、部品点数、組
付工数を削減することができる。なお、値札ケースは、冷凍・冷蔵商品の陳列ケースの棚
板の幅と略同長とすることが好ましい。
【０００９】
この場合、値札ケース内の温度を検出する温度センサと、温度センサの検出結果に基づ
いて、周囲温度が動作保証温度を維持するようにヒータを制御する温度制御手段と、を更
に備えたことが、好ましい。
【００１０】
この構成によれば、温度センサの検出温度をフィードバックしてヒータを制御すること
により、値札ケース内の雰囲気を介して電子値札ユニットを常に適切な動作保証温度に保
つことができる。
【００１１】
この場合、値札ケース内に、電子値札ユニットを保持する保持プレートを、更に備え、
ヒータがプレートヒータで構成され、保持プレートがヒータを兼ねていることが、好まし
い。
【００１２】
この構成によれば、プレートヒータ（保持プレート）により値札ケース内が一様に加温
されるため、値札ケース内での温度分布が均一化する。これにより、温度センサの設置場
所に左右されることなく、電子値札ユニットの周囲温度を精度よく制御することができる
。
【００１３】
この場合、ヒータは、電子値札ユニットから離れた位置に配設されており、ヒータによ
るヒートエアを値札ケース内に循環させるファンを、更に備えていることが、好ましい。
【００１４】
この構成によれば、ヒータによるヒートエアがファンにより値札ケースのケース内を循
環するため、ケース内が一様に加温され、値札ケース内での温度分布が均一化する。これ
により、温度センサの設置場所に左右されることなく、電子値札ユニットの周囲温度を精
度よく制御することができる。
【００１５】
この場合、値札ケース内には、電子値札ユニットの背面側に位置して断熱材が設けられ
ていることが、好ましい。
【００１６】
この構成によれば、断熱材により、値札ケース内の温度が、冷凍・冷蔵商品の陳列ケー
スに作用（昇温）するのを防止することができる。逆に、冷凍・冷蔵商品の陳列ケースの
温度が値札ケースに作用（冷却）するのを防止しすることができる。これにより、ヒータ
の駆動頻度を減らすことができ、エネルギー消費量を抑えることができる。なお、断熱材
（グラスウール、発泡ウレタン、発泡スチロール等）は、電子値札ユニットの背面側とな
る断面方向の半部に充填され、あるいは内貼りされることが好ましい。
【００１７】
この場合、値札ケースは、空隙を存して配設された内ケースと外ケースとから成る２重
構造に構成されていることが、好ましい。
【００１８】
この構成によれば、電子値札ユニットの視覚性を損なうことなく、値札ケースの断熱性
を高めることができる。これにより、ヒータの駆動頻度を減らすことができ、エネルギー
消費量を抑えることができる。なお、内ケースおよび外ケースは、透明な樹脂ケースとし
、両外端部に設けたリング状のスペーサにより断熱用の空隙を構成するようにするとよい
。
【００１９】
この場合、値札ケースは、円筒形であって、保持プレートは、その断面上で略中央部に
位置するよう配設したことが、好ましい。
【００２０】
この構成によれば、保持プレートの幅を値札ケースの径に合わせれば、容易に保持プレ
ートを取り付けることができ、且つ、移動時における保持プレートのガタツキを防止する
ことができる。
【発明を実施するための最良の形態】
【００２１】
以下、添付の図面を参照して、本発明の一実施形態に係る電子値札装置を冷蔵商品用の
陳列ケースに設置する場合について説明する。図１に示すように、冷蔵商品用の陳列ケー
ス１は、いわゆる冷蔵ショーケースであり、内部に冷却コイルを有すると共に断熱材で構
成したケース本体２と、これに水平に設けた複数の棚板３と、で構成されている。ケース
本体２には、主冷気吹出し口（図示省略）の他、上前部に下向きスリット状の冷気吹出し
口４が設けられ、下前部に冷気吹出し口４に対応して配設した上向きスリット状の冷気吸
込み口５が設けられている。冷気吹出し口４から吹出されたダウンフローの冷気は、エア
ーカーテンを構成し冷気吸込み口５に吸引されるようになっている。そして、各棚板３の
前面には、陳列商品６に対応して配設した複数の電子値札ユニット１２を有する電子値札
装置１１が取り付けられている。
【００２２】
図２（ａ）、（ｂ）に示すように、電子値札装置１１は、商品価格３１および付帯情報
３２を表示する４個の電子値札ユニット１２と、４個の電子値札ユニット１２をそれぞれ
対応する陳列商品６に位置合わせできるように保持する保持プレート１３と、保持プレー
ト１３と共に４個の電子値札ユニット１２を収容する値札ケース１４と、保持プレート１
３の背面側に位置し、値札ケース１４内に設けた断熱材１５（図４参照）と、値札ケース
１４の両端を貫通して各電子値札ユニット１２にそれぞれ接続された各一対、計４組のワ
イヤー１６（索状体）と、を備えている。値札ケース１４は、少なくとも前面側の一部、
または全てが電子値札ユニット１２を視認可能な透明な樹脂、例えば、アクリル、あるい
はポリカーボネートで構成されることが好ましい。更に値札ケース１４は、一般的に製造
されている円筒形であることで、製造コストを抑制することができる。
【００２３】
保持プレート１３には、正面左側に位置し、値札ケース１４内を昇温するヒータ１７と
、正面右側に位置し、値札ケース１４内の温度を検出する温度検出回路１８および温度検
出回路１８の検出結果に基づいて電子値札ユニット１２の周囲温度を当該電子値札ユニッ
ト１２の動作保証温度に維持するようにヒータ１７を制御する温度制御回路１９（温度制
御手段）と、保持プレート１３の背面左側に位置し、ヒータ１７によるヒートエアを値札
ケース１４内に循環させるファン２０（図２（ｃ）参照）と、がそれぞれ配設されている
。そして、ヒータ１７およびファン２０には、外部から電力を供給する電源線２１が温度
制御回路１９を介して接続されている。
【００２４】
図３に示すように、各電子値札ユニット１２は、陳列商品６に対応する位置に設置され
るものであり、前面には、商品価格３１および付帯情報３２を表示する液晶のディスプレ
イ３３が設けられている。ディスプレイ３３の中央には商品価格３１が大きく表示され、
商品価格３１の周囲に付帯情報３２が表示される構成となっている。付帯情報３２には、
本体価格、税額、割引率の他、会員価格や商品提供元情報等の多種多様な情報があり、販
売店の都合に合わせてディスプレイ３３の表示を適宜変更できるように構成されている。
そして、各電子値札ユニット１２の両端には上記のワイヤー１６がそれぞれ接続されてい
る。なお、電子値札ユニット１２の電力は、内部にリチウム電池等のボタン電池を取り付
けて供給するようにしてもよいし、表面に太陽電池を取り付けて供給するようにしてもよ
い。また、ディスプレイ３３は液晶のディスプレイ３３に限らず電子ペーパや電子粉粒で
画像を表示するようにしてもよい。
【００２５】
また、各電子値札ユニット１２のディスプレイ３３に表示される商品価格３１や付帯情
報３２は、ホストコンピュータで管理しており、ホストコンピュータは、フロア内の天井
に設置されたアンテナを通じて各電子値札ユニット１２と無線で通信を行っている。ホス
トコンピュータから商品価格３１や付帯情報３２が各電子値札ユニット１２送信されると
、フロア内の電子値札ユニット１２のディスプレイ３３の表示が即座に変更される。また
、陳列商品６を変更した場合等は、ハンディターミナルで陳列商品６に付されたバーコー
ドから商品情報を読み取り、電子値札ユニット１２に直接入力することもできる。
【００２６】
図２に示す値札ケース１４は、棚板３の幅と略同長に形成されており（図１参照）、円
筒状の値札ケース本体４１と、値札ケース本体４１の両端部を気密に封止する一対のキャ
ップ４２、４２（端部閉塞部材）と、から構成されている。値札ケース本体４１は、アク
リルやガラス等の透光性材料で構成され、顧客が、値札ケース１４外部から電子値札ユニ
ット１２のディスプレイ３３を視認できるようになっている。一対のキャップ４２、４２
には、複数本のワイヤー１６が束になった状態で（本実施形態では各４本）挿通するワイ
ヤー用開口４３が形成されている。また、正面右側のキャップ４２には、電源線２１が挿
通する電源線用開口４４がさらに形成されている。この場合、ワイヤー用開口４３および
電源線用開口４４は、封止ゴム（図示省略）で封止されており、ワイヤー１６および電源
線２１はこの封止ゴムを貫通するように設けられている。なお、値札ケース１４の内壁へ
の結露を防止すべく、値札ケース１４内には、シリカゲル等の乾燥剤を設けておくことが
好ましい。
【００２７】
図５は、値札ケース１４の変形例であり、この値札ケース１４は、空隙を存して配設さ
れた内ケース５１と外ケース５２とから成る２重構造に構成されている。この場合、両ケ
ース５１、５２の両外端部に設けたリング状のスペーサ５３により断熱用の空隙を構成し
ている。このように、２重構造にすることで、電子値札ユニット１２の視覚性を損なうこ
となく、値札ケース１４の断熱性を高めることができる。これにより、ヒータ１７の駆動
頻度を減らすことができ、エネルギー消費量を抑えることができる。
【００２８】
図４に示すように、保持プレート１３は、複数の電子値札ユニット１２が添設された横
長（長方形）の背面プレート６１と、背面プレート６１の両端上下に配設され、複数の電
子値札ユニット１２を横一列に移動自在に保持する一対のガイドレール６２、６２（ガイ
ド突起）と、電子値札ユニット１２と背面プレート６１との間に介設されたクッション部
材６３と、から構成されている。そして、背面プレート６１は、値札ケース１４の長さ方
向の内寸と合致する長さと、内径と合致する幅とを有している。また、背面プレート６１
の長手方向両端部には、凹状に切りかかれた一対の切欠部６４、６４がそれぞれ形成され
ている（図２参照）。
【００２９】
一対のガイドレール６２、６２は、断面クランク状に形成され、電子値札ユニット１２
を保持する間隙を存して相互に平行に配設されている。そして、一対のガイドレール６２
、６２の９０°内向きに屈曲形成した先端屈曲部６５、６５（押え片）が、複数の電子値
札ユニット１２が背面プレート６１から脱落しないように保持している。そして、一対の
ガイドレール６２、６２に対し、各電子値札ユニット１２は、横方向にスライド自在に保
持されている。このように、電子値札ユニット１２は、一対のガイドレール６２、６２に
保持されつつ背面プレート６１上を横方向に移動するため、横方向の移動を円滑かつ安定
に行うことができる。
【００３０】
クッション部材６３は、断熱性を有する高発泡ウレタン等で構成されており、一対のガ
イドレール６２、６２の間に介設されている。クッション部材６３により上記の先端屈曲
部６５と電子値札ユニット１２との隙間を埋めることができ、移動の際の電子値札ユニッ
ト１２のガタつきを防止することができると共に電子値札ユニット１２の姿勢を安定させ
ることができる。さらに、クッション部材６３の適度な摩擦により電子値札ユニット１２
を制動しながら移動させることができ、オーバラン等を防止することができる。したがっ
て、移動方向のワイヤー１６のみで電子値札ユニット１２を所望の位置に正確に移動させ
ることができる。
【００３１】
詳細は後述するが、値札ケース１４内は、保持プレート１３により、電子値札ユニット
１２が設置される正面側空間とファン２０が設置される背面側空間とに仕切られ、かつ両
空間は、上記の一対の切欠部６４、６４によって値札ケース１４の両端部において連通す
る構成となっている。
【００３２】
断熱材１５は、グラスウール、発泡ウレタン、発泡スチロール等で構成され、電子値札
ユニット１２の背面側となる断面方向の半部に内貼りされている。断熱材１５により、値
札ケース１４内の温度が、冷蔵商品用の陳列ケース１に作用（昇温）するのを防止するこ
とができる。逆に、冷蔵商品用の陳列ケース１の温度が値札ケース１４に作用（冷却）す
るのを防止しすることができる。これにより、ヒータ１７の駆動頻度を減らすことができ
、エネルギー消費量を抑えることができる。
【００３３】
図６に示すように１組のワイヤー１６は、各電子値札ユニット１２の両側面にそれぞれ
接続されており、キャップ４２に形成されたワイヤー用開口４３を挿通して値札ケース１
４の外部に延出している。このとき、４個の電子値札ユニット１２が保持プレート１３に
横並びに保持されているため、各電子値札ユニット１２に接続されている１組のワイヤー
１６は、それぞれワイヤー１６の延在方向に位置する他の電子値札ユニット１２の背面側
を通ってワイヤー用開口４３に達する構成となっている。すなわち、各電子値札ユニット
１２は、その背面と背面プレート６１との間に、他の電子値札ユニット１２に接続された
ワイヤー１６を３本（３組）挟み込んだ状態で一対のガイドレール６２、６２に保持され
ている。
【００３４】
なお、本実施形態では、ワイヤー１６が、他の電子値札ユニット１２の背面を通って値
札ケース１４の外部に延出する構成としたが、電子値札ユニット１２の側面にワイヤー１
６を挿通させるための貫通開口を形成し、他の電子値札ユニット１２のワイヤー１６が、
この貫通開口を通って値札ケース１４の外部に延出する構成としてもよい。また、各電子
値札ユニット１２の両端にワイヤー１６（２本）を接続するのではなく、１本のワイヤー
１６の一部に電子値札ユニット１２を固定する構成としてもよい。
【００３５】
そして、電子値札ユニット１２を移動させようとする場合には、値札ケース１４の端か
ら延出したワイヤー１６を摘んで引き、電子値札ユニット１２を一対のガイドレール６２
、６２に沿って横方向にスライドさせる。このようにして陳列商品６に対して各電子値札
ユニット１２を個別に位置調整を行うようにする。この場合、ワイヤー１６には、電子値
札ユニット１２と電子値札ユニット１２に接続されたワイヤー１６とを関連付けるタグ７
１がつけられており、ユーザはタグ７１を見ることにより外部からでも、所望の電子値札
ユニット１２に接続されたワイヤー１６を選出できるようになっている。
【００３６】
続いて、図７のブロック図を参照して、温度検出回路１８、ヒータ１７、ファン２０お
よび温度制御回路１９について説明する。
【００３７】
温度検出回路１８は、サーミスタ等の温度センサ８１を組み込んで構成されており、温
度センサ８１は、電気抵抗の変化から値札ケース１４内の温度を検出する。温度センサ８
１は、温度検出回路１８を介して温度制御回路１９に接続され、温度検出回路１８におい
て温度センサ８１の抵抗値を電圧値に変換して出力電圧として温度制御回路１９に出力し
ている。
【００３８】
ヒータ１７は、温度センサ８１による温度の検出結果に基づいて値札ケース１４内を加
温するものであり、電子値札ユニット１２から離れた位置に配設され、温度制御回路１９
に接続されている。この場合、ヒータ１７として赤外線ランプ等を用いることが好ましい
。
【００３９】
ファン２０は、温度センサ８１による温度の検出結果に基づいてヒータ１７と同期する
ように（実際には、ヒータ１７よりわずかに早く駆動を開始し、わずかに遅く駆動を停止
する）駆動するものであり、温度制御回路１９に接続されている。ファン２０の両側面に
は、空気が流入する吸込口８２と、流入した空気が流出する吹出口８３と、がそれぞれ形
成されており（図２（ｃ）参照）、内部に取り付けられた羽根車を回転させることで、ヒ
ータ１７によるヒートエアを値札ケース１４内に循環させる。すなわち、ヒータ１７によ
り昇温されたヒートエアは、ファン２０に引かれて図示左側の切欠部６４から保持プレー
ト１３の裏側に廻りこみ、ファン２０に送気され保持プレート１３の裏側を流れ、さらに
図示右側の切欠部６４から保持プレート１３の表側に廻り込む。ここで、ヒートエアは、
保持プレート１３の表側を流れて各電子値札ユニット１２を加温する。このように、ヒー
トエアを値札ケース１４内に循環させることにより、値札ケース１４内が一様に昇温し、
値札ケース１４内での温度分布が均一化する。これにより、温度センサ８１の設置場所に
左右されることなく、電子値札ユニット１２の周囲温度を動作保証温度に維持するように
精度よく制御することができる。
【００４０】
温度制御回路１９は、温度センサ８１による温度の検出結果に基づいて、電源線２１か
らの電力をヒータ１７およびファン２０に選択的に供給するものである。温度制御回路１
９は、出力電圧と基準電圧とを比較するコンパレータ（図示省略）と、電源線２１からの
電力を供給・遮断するＯＮ・ＯＦＦスイッチ（図示省略：トランジスタ）と、を有してお
り、出力電圧と基準電圧とを比較して、スイッチングすることで電源線２１からの電力の
供給を制御している。この「基準電圧」とは、電子値札ユニット１２の動作保証温度の範
囲（例えば、１０℃〜４０℃）内に収まるようにユーザが任意に指定した基準温度（例え
ば、２０℃）に対応している。
【００４１】
そして、温度センサ８１の温度の検出結果が、基準温度以下になると（出力電圧が基準
電圧以下になると）、温度制御回路１９のＯＮ・ＯＦＦスイッチがＯＮとなりヒータ１７
およびファン２０に電力が供給され、値札ケース１４内が一様に加温される。一方、温度
センサ８１の温度の検出結果が、基準温度以上になると（出力電圧が基準電圧以上になる
と）、温度制御回路１９のＯＮ・ＯＦＦスイッチがＯＦＦとなりヒータ１７およびファン
２０への電力が遮断されヒータ１７およびファン２０が停止する。このように、温度セン
サ８１の検出温度をフィードバックしてヒータ１７を制御することにより、値札ケース１
４内の雰囲気を介して電子値札ユニット１２を常に適切な動作保証温度に維持している。
【００４２】
なお、本実施形態ではヒータ１７が保持プレート１３の一部に配設される構成としたが
、図８に示すように保持プレート１３がヒータ１７を兼ねる構成にしてもよい。この場合
、ヒータ１７は、背面プレート６１の裏側全面に膜状に設けられた抵抗体層９１と、抵抗
体層９１の長手方向両端部に設けられた一対の電極９２、９２とから構成されたプレート
ヒータであり、この電極９２、９２で挟まれた抵抗体層９１のエリアがヒータ１７として
駆動する。また、この場合は、値札ケース１４内が全体的に加温されるのでファン２０を
設ける必要がない。プレートヒータ（保持プレート１３）により値札ケース１４内が一様
に加温されるため、値札ケース１４内での温度分布が均一化する。これにより、温度セン
サ８１の設置場所に左右されることなく、電子値札ユニット１２の温度を精度よく制御す
ることができる。なお、この場合、プレートヒータの背面側には断熱材１５を充填してお
くことが好ましい。
【００４３】
このように、電子値札ユニット１２を冷蔵商品用の陳列ケース１に設置しても、ヒータ
１７により電子値札ユニット１２の周囲温度が、その動作保証温度に加温されるため、電
子値札ユニット１２の動作が不安定になることがない。すなわち、電子値札ユニット１２
を、冷蔵商品用の陳列ケース１のような低温下に設置した場合でも、電子値札ユニット１
２が見え難くなることがない。また、電子値札ユニット１２毎にケースを用意する必要が
なく、部品点数、組付工数を削減することができる。
【図面の簡単な説明】
【００４４】
【図１】電子値札装置を設置した冷蔵商品用の陳列ケースの斜視図である。
【図２】（ａ）は電子値札装置の全体斜視図であり、（ｂ）は保持プレートの全体斜視図（正面）であり、（ｃ）は保持プレートの全体斜視図（背面）である。
【図３】電子値札ユニットの正面図である。
【図４】電子値札装置の断面図である。
【図５】値札ケースを二重構造にした電子値札装置の断面図である。
【図６】電子値札装置の上面模式図である。
【図７】電子値札装置の制御ブロック図である。
【図８】プレートヒータの全体斜視図である。
【符号の説明】
【００４５】
１…冷蔵商品用の陳列ケース  １１…電子値札装置  １２…電子値札ユニット  １３…
保持プレート  １４…値札ケース  １５…断熱材  １７…ヒータ  １９…温度制御回路  
２０…ファン  ５１…内ケース  ５２…外ケース  ３１…商品価格  ８１…温度センサ
【図１】
2008048868.tif 000003
【図２】
2008048868.tif 000004
【図３】
2008048868.tif 000005
【図４】
2008048868.tif 000006
【図５】
2008048868.tif 000007
【図６】
2008048868.tif 000008
【図７】
2008048868.tif 000009
【図８】
2008048868.tif 000010